(57)【要約】本発明は車両用パワートレイン制御システム（１）に関する。このシステム（１）は、１つまたはそれ以上の動作パラメータに基づいてトルク制御信号（５７）を生成するトルク制限計算機（４７）を備える。トルク要求信号（４５）を生成するトルク要求モジュール（４３）が設けられ、トルク制御モジュール（７）により、パワートレインにより負荷されるトルクが制御される。モジュール（７）は、トルク要求モジュール（４３）からトルク要求信号（４５）を、トルク制限計算機（４７）からトルク制御信号（５７）をそれぞれ受信し、かつ、トルク要求信号（４５）とトルク制御信号（５７）に応じて、パワートレインにより負荷されるトルクを制御するように構成されている。また、本発明は、制御システムと、パワートレイン制御システムを動作させる方法に関する。
2015521137.tif 000002
【特許請求の範囲】
【請求項１】
１つまたはそれ以上の車両動作パラメータに基づいてトルク制御信号を生成するトルク制限計算手段と、
トルク要求信号を生成するトルク要求モジュールと、
パワートレインにより負荷されるトルクを制御するトルク制御モジュールとを備え、
前記トルク制御モジュールは、前記トルク要求モジュールからトルク要求信号を、前記トルク制限計算手段からトルク制御信号をそれぞれ受信し、かつ、前記トルク要求信号と前記トルク制御信号に応じて、前記パワートレインにより負荷されるトルクを制御するように構成されている、
車両用制御システム。
【請求項２】
前記トルク制限計算手段は、追加のモジュール内に設けられている、
請求項１に記載の制御システム。
【請求項３】
前記トルク要求モジュールは、前記トルク制限計算手段からトルク制御信号を受信するものであり、かつ、前記トルク制御信号に応じて前記トルク要求信号を調整するように構成されている、
請求項１または２に記載の制御システム。
【請求項４】
前記トルク制御信号は、負荷トルクの変化率を制限し、かつ／または、負荷トルクを制限するように構成されている、
請求項１から３のいずれか１項に記載の制御システム。
【請求項５】
前記トルク制御モジュールは、前記トルク制御信号に基づいて、負荷トルクの変化率を制限し、かつ／または、負荷トルクを制限するように動作可能である、
請求項４に記載の制御システム。
【請求項６】
前記トルク制限計算手段は、アンチロックブレーキシステムモジュール内に設けられている、
請求項１から５のいずれか１項に記載の制御システム。
【請求項７】
前記トルク要求モジュールは、ドライバトルク要求信号および／またはクルーズコントロールトルク要求信号に基づいてトルク要求信号を生成するように構成されている、
請求項１から６のいずれか１項に記載の制御システム。
【請求項８】
前記トルク制御モジュールは、少なくとも１つの電動モータおよび／または内燃エンジンを制御するように構成されている、
請求項１から７のいずれか１項に記載の制御システム。
【請求項９】
前記トルク制御モジュールは、前記少なくとも１つの電動モータを制御するインバータである、
請求項８に記載の制御システム。
【請求項１０】
前記トルク制御モジュールは、前記トルク要求モジュールよりも高い安全性評価を有する、
請求項１から９のいずれか１項に記載の制御システム。
【請求項１１】
前記追加のモジュールは、前記トルク制御モジュール以上の安全性評価を有する、
請求項２を引用する請求項１０に記載の制御システム。
【請求項１２】
請求項１から１１のいずれか１項に記載のシステムを備えた自動車。
【請求項１３】
パワートレインとコントローラを備えるパワートレインシステムを動作させる方法であって、
１つまたはそれ以上の動作パラメータに基づいてトルク制御信号を生成すると共に、該トルク制御信号を前記コントローラに対して出力するステップと、
トルク要求信号を生成すると共に該トルク要求信号を前記コントローラに出力するステップと、
前記トルク制御信号と前記トルク要求信号に基づいて前記パワートレインにより負荷されるトルクを制御するように前記コントローラを動作させるステップと
を含む方法。
【請求項１４】
前記トルク制御信号は、負荷トルクの変化率への制限値、および／または、負荷トルクへの制限値を規定する、
請求項１３に記載の方法。
【請求項１５】
前記コントローラは、少なくとも１つの電動モータの動作を制御するように構成されている、
請求項１３または１４に記載の方法。
【請求項１６】
前記トルク要求信号は、ドライバトルク要求信号および／またはクルーズコントロールトルク要求信号に基づく、
請求項１３から１５のいずれか１項に記載の方法。
【発明の詳細な説明】
【技術分野】
【０００１】
本発明は、パワートレイン制御システムおよび方法に関する。パワートレイン制御システムは、例えば自動車に実装可能である。本発明の態様は、制御システムと、パワートレインの動作方法とに関する。
【背景技術】
【０００２】
（正のトルクまたは負のトルク、すなわち車両を加速または減速させるトルクである）意図しないトルクが負荷されると、動力車両の安定性に影響が出る可能性がある。これは、内燃エンジンより（例えば、電場の伝達速度および小さい回転慣性に起因して）大きい負荷トルクの変化率が実現可能な電気モータ（または電気マシン）を内蔵する車両において、特に関連するものである。従って、正の（駆動）トルクと負の（制動）トルクの両方を加える場合には、電動モータの制御が最も重要である。
【発明の概要】
【発明が解決しようとする課題】
【０００３】
本発明は、改善したパワートレイン制御システムおよびパワートレインシステムを制御する方法を提供することを意図している。
【課題を解決するための手段】
【０００４】
本発明の態様は、パワートレイン制御システムに関し、すなわち制御システムとパワートレインの制御方法に関する。
【０００５】
更なる態様で、本発明は、車両用のパワートレイン制御システムに関する。このシステムは、１つまたはそれ以上の車両動作パラメータに基づいてトルク制御信号を生成するトルク制限計算手段と、トルク要求信号を生成するトルク要求モジュールと、パワートレインにより負荷されるトルクを制御するトルク制御モジュールとを備える。トルク制御モジュールは、トルク要求モジュールからトルク要求信号を、トルク制限計算手段からトルク制御信号をそれぞれ受信し、かつ、トルク要求信号とトルク制御信号に応じて、パワートレインにより負荷されるトルクを制御するように構成されている。
トルク制御モジュールは、パワートレインにより負荷されるトルクを変化させる前に、トルク制御信号に基づいて追加のチェックを行うことができる。例えば、トルク制御モジュールは、トルク制御信号に基づいて、トルク要求信号の有効性をチェックできる。トルク制御信号は、トルク制御モジュールのための「フィードフォワード」信号として用いられる。トルク制御モジュールは、車両の安定性に影響を与えるだろうトルク負荷（例えば１つまたはそれ以上の閾値との比較により決定される）を抑制し、または防止するように構成できる。
【０００６】
トルク要求モジュールからトルク要求信号を受信し、トルク制限計算手段からトルク制御信号を受信するようにトルク制御モジュールを構成することにより、パワートレイン制御システムの安全性評価を改善できる可能性がある。トルク制御モジュールの安全性評価がトルク要求モジュールのそれよりも高い場合、少なくとも特定の実施形態において、パワートレイン制御システムは、全体として、トルク制御モジュールの高い安全性評価に適合可能である。特に、改善したパワートレイン制御システムの安全性レベルは、トルク要求モジュールとは分離した独立コントローラ（すなわち、トルク制限計算手段）からトルク制限モジュールに送られるトルク制御信号により向上させることができる。このようにして、トルク要求モジュールの異常により間違いでトルク要求信号が出されると、動作中であれば車両の安定性が損なわれるおそれがあるところ、これを軽減することが可能となる。この理由は、トルク制御モジュールがトルク制限計算機からトルク制御信号を分離して受信し、これを用いてトルク要求信号を有効にし、あるいは無効にすることができるからである。
【０００７】
トルク制限計算手段は追加のモジュール内に設けられてもよい。トルク要求モジュールは、トルク制限計算手段からトルク制御信号を受信するものであってもよく、かつ、トルク制御信号に応じてトルク要求信号を調整するように構成されてもよい。
【０００８】
トルク制御信号は、負荷トルクを禁止しまたは制限するように構成可能である。トルク制御信号は、最大負荷トルク（正のトルクであっても負のトルクであっても）を制御できる。あるいは、トルク制御信号は、負荷トルクの変化率（正の値であっても負の値であっても）を制御するように構成可能である。例えば、トルク制御信号は、負荷トルクの増加率または減少率を制限できる。トルク制御信号は、負荷トルクを制限し、かつ、このトルクの変化率を制限するように構成可能である。トルク制御モジュールは、上記トルク制御信号に基づいて、負荷トルクを制御するように動作可能である。
【０００９】
トルク制限計算機は、アンチロックブレーキシステム（ＡＢＳ）モジュール内に設けることができる。トルク制限計算機は、次の動作パラメータのうち１つまたはそれ以上を利用可能である。すなわち、車輪の速度、横加速度、ハンドル角度およびヨーレートである。トルク制限計算機は、上記動作パラメータを決定する好適なセンサに結合可能である。
【００１０】
トルク要求モジュールは、ドライバトルク要求信号および／またはクルーズコントロールトルク要求信号に基づいてトルク要求信号を生成するように構成できる。
【００１１】
トルク制御モジュールは、少なくとも１つの電動モータおよび／または内燃エンジンを制御するように構成可能である。トルク制御モジュールは、１つの電動モータを制御するインバータであってもよい。トルク制御モジュールは、少なくとも１つの電動モータによる正のトルクおよび／または負のトルクの負荷を制御するように構成可能である。あるいは、または追加で、トルク制御モジュールは、内燃エンジンによる正のトルクの負荷を制御するように構成可能である。
【００１２】
トルク制御モジュールは、トルク要求モジュールよりも高い安全性評価（例えば自動車安全水準（ＡＳＩＬ））を有することができる。例えば、トルク要求モジュールはＡＳＩＬ Ｂ準拠であってもよく、トルク制御モジュールはＡＳＩＬ Ｃ準拠であってもよい。トルク制限計算機は、トルク制限モジュール以上の安全性評価を有するべきである。例えば、トルク制限計算機についても、ＡＳＩＬ Ｃ準拠であってもよい。このように、トルク要求モジュールが必要とするのはＡＳＩＬ Ｂ準拠であるにすぎないとしても、パワー制御システムは全体としてＡＳＩＬ Ｃ準拠であってもよい。この理由は、トルク制御モジュールが、トルク要求モジュールから送信されるトルク要求信号から独立して、トルク制限計算機からトルク制御信号を受信するからである。
【００１３】
更なる態様で、本発明は制御システムに関する。このシステムは、それぞれ第１信号と第２信号をコントローラに対して出力するように構成された第１モジュールと第２モジュールを備える。第１モジュール、第２モジュールおよびコントローラは、それぞれ安全性評価を有するところ、コントローラは第２制御モジュールよりも高い安全性評価を有する。
【００１４】
第１モジュールは、第２モジュールとコントローラの両方に第１信号を出力するように構成可能である。第２モジュールは、第１信号を用いて第２信号を生成可能である。従って、第２信号は、少なくとも部分的に第１信号に基づいていてもよい。第１モジュールは、コントローラと同じまたはそれより高い安全性評価を有することができる。
【００１５】
第１モジュールは、１つまたはそれ以上の動作パラメータに基づいてトルク制御信号を生成するトルク制限計算機であってもよい。第２モジュールは、トルク要求信号を生成するトルク要求モジュールであってもよい。コントローラは、少なくとも１つの電動モータの動作を制御するトルク制御モジュールであってもよい。例えば、コントローラはインバータであってもよい。
【００１６】
更なる態様で、本発明は、パワートレインとコントローラを備えるパワートレインシステムを動作させる方法に関する。この方法は、１つまたはそれ以上の動作パラメータに基づいてトルク制御信号を生成すると共に、当該トルク制御信号を前記コントローラに対して出力するステップと、トルク要求信号を生成すると共に当該トルク要求信号をコントローラに出力するステップと、トルク制御信号とトルク要求信号に基づいて負荷トルクを制御するようにコントローラを動作させるステップとを含む。
【００１７】
この方法により、高い安全性評価を有するコントローラを用いて、負荷トルクを制御できる。この方法は、コントローラが、トルク要求信号を生成するプロセッサよりも高い安全性評価を有するシステムにおいて実行可能である。
【００１８】
トルク制御信号は、負荷トルクに対する制限値（すなわち、加えるトルクの最大値）を規定できる。あるいは、または追加で、トルク制御信号は、負荷トルクの変化率に対する制限値を規定できる。コントローラは、少なくとも電動モータの動作を制御するように構成可能である。コントローラはインバータであってもよい。トルク要求信号は、ドライバトルク要求信号および／またはクルーズコントロールトルク要求信号に基づいていてもよい。
【００１９】
本明細書で説明している方法は、機械実施方法であってもよい。この方法は、１つまたはそれ以上のプロセッサを備えた計算手段（例えば電子的なマイクロプロセッサ）上で実行可能である。プロセッサは、メモリまたは記憶装置に記憶された計算上の命令を実行するように構成可能である。本明細書で説明しているデバイスは、計算上の命令を実行するように構成された１つまたはそれ以上のプロセッサを備えることができる。
【００２０】
更なる態様で、本発明は、プログラマブル回路と、少なくとも１つのコンピュータ読み出し可能な媒体上でコード化され、本明細書に記載の方法を実行するようにプログラマブル回路をプログラミングするソフトウェアとを備えたコンピュータシステムに関する。
【００２１】
更なる態様により、本発明は、コンピュータ読み出し可能な複数の命令を有するコンピュータ読み出し可能な１つまたはそれ以上の媒体であって、コンピュータにより実行されると、本明細書で説明している方法の全ステップをコンピュータに実行させるものに関する。
更なる態様で、本発明は、車両用のパワートレイン制御システムに関する。このシステムは、１つまたはそれ以上の動作パラメータに基づいてトルク制御信号を生成するトルク制限計算手段と、トルク要求信号を生成するトルク要求モジュールと、負荷トルクを制御するトルク制御モジュールとを備える。トルク制御モジュールは、トルク要求モジュールからトルク要求信号を、トルク制限計算機からトルク制御信号をそれぞれ受信するように構成されている。
【００２２】
本出願の範囲内において、以下のことを明らかに意図している。すなわち、先の段落、特許請求の範囲および／または以下の説明と図面、特にその個々の特徴で説明している種々の態様、実施形態、実施例および変形例は、独立して、または組み合わせて採用されてよい。例えば、一実施形態を参照して説明する特徴は、相容れない場合を除いてすべての実施形態に適用可能である。
【図面の簡単な説明】
【００２３】
添付の図面を参照しつつ、ほんの一例として、本発明の実施の形態について説明する。
【００２４】
【図１】本発明の実施の形態によるパワートレイン制御システムを示す概略図である。
【図２】図１に示すパワートレイン制御システムの変形例を示す概略図である。
【発明を実施するための形態】
【００２５】
本発明の実施形態によるパワートレイン制御システム１を図１に示す。パワートレイン制御システム１は、４つの駆動輪（図示せず）を有するハイブリッド車（図示せず）の内燃エンジンＥおよび電動モータＭを制御するように構成されている。２つの駆動輪を有する車両にも本発明を利用可能である。
【００２６】
パワートレイン制御システム１は、パワートレイン制御モジュール（ＰＣＭ）３と、アンチロックブレーキシステム（ＡＢＳ）モジュール５と、インバータ７とを備える。パワートレイン制御モジュール３は、内燃エンジンＥに対してエンジン制御信号を出力する。また、パワートレイン制御モジュール３は、インバータ７に対してモータ制御信号を出力して電動モータＭを制御する。
【００２７】
本実施形態で、電動モータＭは車両の変速機に連結されているが、他の構成であってもよい。例えば、駆動輪のハブに電動モータを設けてもよい。電動モータＭは、車両駆動系に正のトルクを加えて車両を進めるドライブモードと、車両を制動する車両駆動系に負の（制動）トルクを加えて車両を制動する回生モードとで選択的に動作可能である。電動モータは、トルク（正のトルクも負のトルクも）を高い変化率で加えることができ、これにより車両の安定性が影響を受ける可能性がある。
【００２８】
パワートレイン制御モジュール３は、（ドライバによるアクセルペダル１３の操作に応じた）ドライバトルク要求信号１１または（クルーズコントロールモジュール１７が生成する）クルーズコントロールトルク要求信号１５のいずれかに応じてエンジン制御信号とモータ制御信号とを生成するプロセッサを備える。プロセッサは、他のモータ制御信号（例えばパワー要求信号など）を受信してもよいことが理解されるだろう。プロセッサが出力するエンジン制御信号は、スロットル位置信号１９、燃料噴射信号２１、およびイグニション制御信号２３である。プロセッサは、他のエンジン制御信号（例えばバルブリフトを制御する信号）を出力できることが理解されるだろう。図１を参照して、エンジン制御信号を生成するためにプロセッサが実施するステップについて説明する。
【００２９】
ドライバトルク要求信号１１に対してドライバペダル進行マップ２５が適用され、これによりペダルトルク要求信号２７が生成される。コンパレータ２９は、ペダルトルク要求信号２７とクルーズコントロールトルク要求信号１５とを比較すると共に、トルク要求が大きい方の信号を基に、フィルタリング処理されていないトルク要求信号３１を生成する。このフィルタリング処理されていないトルク要求信号３１に対してドライバ参照フィルタ３３が適用され、フィルタリング処理済みトルク要求信号３４が生成される。トルク要求信号３４は、第１のトルク増加率リミッタモジュール３５に出力される。本明細書で詳細に説明しているように、第１のトルク増加率リミッタモジュール３５は、アンチロックブレーキシステム（ＡＢＳ）モジュール５と通信して制限トルク要求信号３７を出力する。
【００３０】
トルク調整モジュール３９は、最大トルクレベルと最小トルクレベルを決定すると共に、車両監視制御（ＶＳＣ）モジュール４１に基準信号４０を出力する。ＶＳＣモジュール４１は、エンジンＥと電動モータＭとの間でのトルク配分を決定する。ＶＳＣモジュール４１は、トルク／アクチュエータ変換モジュール４３に対して最終のエンジントルク要求信号４２を出力する。トルク／アクチュエータ変換モジュール４３は、最終のエンジントルク要求信号４２を、エンジンＥを制御する信号（スロットル位置信号１９、燃料噴射信号２１およびイグニション制御信号２３）に変換する。また、ＶＳＣモジュール４１は、電動モータＭを制御するためのモータトルク要求信号４５をインバータに出力する。
【００３１】
ＡＢＳモジュール５は、路面を走行する車両の動作と関連する動作パラメータを測定する複数のセンサに結合されている。当該複数のセンサはそれぞれ、ＡＢＳモジュール５内に設けられたトルク増加率計算モジュール４７に対して測定信号を出力する。複数のセンサには、例えば、４つのホイール速度センサ４９（各ホイールに１つずつ設けられる）、横方向加速度センサ５１、ステアリング角度センサ５３およびヨーセンサ５５が含まれる。
【００３２】
トルク増加率計算モジュール４７は、速度センサ４９、横方向加速度センサ５１、ステアリング角度センサ５３およびヨーセンサ５５からの信号をモニタして、１つまたはそれ以上の駆動輪でスリップが生じる可能性があるか否かを判断する。また、トルク増加率計算モジュール４７は、（例えば急勾配に起因する）車両重量の移動、大きな車両負荷、周囲環境（例えば、温度、および／または、氷が存在する可能性）などのパラメータを任意に受信可能である。
【００３３】
トルク増加率計算モジュール４７は、これらの動作パラメータのそれぞれに関連する所定の閾値を記憶している。これらの閾値は、ホイールスリップが生じないレベルであって、許容しうる最小のレベルを表す。測定したパラメータの値が各所定の閾値の１つまたはそれ以上を超えたときには、第１のトルク増加率リミッタモジュール３５に対して車体トルク増加率制御信号５７が出力され、エンジンと駆動軸（図示せず）を介して車軸に加わるトルクが制御される。トルク増加率計算モジュール４７は、動作パラメータを、単独でまたは所定の組み合わせでモニタすることができる。例えば、トルク増加率計算モジュール４７は、動作パラメータの何れか１つが最大閾値を超えたとき、かつ／または、２つ以上のパラメータの組み合わせがより小さい閾値を超えたとき（例えばステアリング角とヨーレートが中程度の値で、速度が大きいとき）に、加わるトルクを制御するように動作可能である。
【００３４】
正または負のパワートレイントルクの増加率（本明細書ではトルク増加率と称す）は、ホイールスリップを妨げるように制限してもよい。これは、エンジンに対する入力を絞ることにより、かつ／または電動モータの動作を制御することにより達成できる。トルク増加率リミッタモジュール３５は、作動すると、ＡＢＳモジュール５内のダイナミックスタビリティコントロール（ＤＳＣ）モジュール６１にトルク増減率制限状態信号５９を返信してドライバに通知する（例えばランプを点灯させ、または計器群にメッセージを表示する）ことができる。
【００３５】
また、車体トルク増加率制御信号５７は、ＡＢＳモジュール５からインバータ７へ直接に出力される。インバータ７は、第２のトルク増加率リミッタモジュール６０を備える。第２のトルク増加率リミッタモジュール６０は、車体トルク増加率制御信号５７を利用して、モータトルク要求信号４５の有効性を検査する。モータトルク要求信号４５は、車体トルク増加率制御信号５７に基づいて、トルク要求を満足させる（すなわち、トルク要求に相当するトルクを加える）ことが車両の安定性に影響を与える場合には、無効と判断される。第２のトルク増加率リミッタモジュール６０により、トルク要求信号４５が有効でないと判断された場合、インバータ７は、電動モータが加えるトルクの増加を制御し、すなわち抑制することができる。これにより、インバータ７は、トルク要求信号４５を無効にすることができる。この制御構成は、パワートレイン制御モジュール３より高い安全性評価を有するインバータ７を利用することにより、制御システム１の安全性評価を改善することができるので、特に有利である。
【００３６】
制御システム１と制御モジュール３，５，７の安全性評価は、ＩＳＯ２６２６２が規定する自動車安全性要求レベル（ＡＳＩＬ）標準を用いて規定できる。本実施形態において、ＡＢＳモジュール５とインバータ７は共に、「Ｃ」の安全性要求レベルを満たす能力を有する。また、パワートレイン制御モジュール３は、「Ｂ」の安全性要求レベルを満たす能力を有する。本発明によるパワートレイン制御システム１は、パワートレイン制御モジュール３からのトルク増加率の大きい意図しないトルク要求を軽減することにより、「Ｃ」の安全性要求レベルを満たすことができる。これは、少なくとも特定の実施形態では、パワートレイン制御モジュール３が「Ｂ」の安全性要求レベルを満たす場合に限り、実現可能である。
【００３７】
ＡＢＳモジュール５は、使用時、速度センサ４９、横方向加速度センサ５１、ステアリング角度センサ５３およびヨーセンサ５５からデータ信号を受信する。トルク増加率計算モジュール４７は、これらのデータ信号を対応する閾値と比較して、どのレベルのトルク増加率が駆動輪に伝達されると車両を不安定化する可能性があるかを決定する。トルク増加率計算モジュール４７は、第１のトルク増加率リミッタモジュール３５に対して車体トルク増加率制御信号５７を出力する。車体トルク増加率制御信号５７は、道路状況／コーナリング状況に応じて変化する。制限されたトルク要求信号３７、ひいては最終的なエンジントルク要求信号４２とモータトルク要求信号４５が、車体トルク増加率制御信号５７に応じて修正される。トルク／アクチュエータ変換モジュール４３は、最終的なエンジントルク要求信号４２に基づいて、内燃エンジンＥの動作を制御する。インバータ７は、モータトルク要求信号４５に基づいて、電動モータＭの動作を制御する。ＶＳＣモジュール４１は、内燃エンジンおよび／または電動モータによるトルク負荷を制御できる。例えば、ＶＳＣモジュール４１は、トルク変化の負荷を遅らせ、負荷トルクの変化率を変え、または負荷トルクの大きさを変えることができる。
【００３８】
車体トルク増加率制御信号５７は、ＡＢＳモジュール５から、インバータ７内に設けられた第２のトルク増加率リミッタ６０に対して直接に送信される。第２のトルク増加率リミッタ６０は、車体トルク増加率制御信号５７を利用してトルク要求信号４５の有効性をチェックし、パワートレイン制御モジュール３で発生しうる異常を特定する。第２のトルク増加率リミッタ６０が車体トルク増加率制御信号５７を考慮してトルク要求信号４５が有効でない（すなわち、トルク要求を満足させることが車両の安定性に影響を与える）と判断した場合、インバータ７は、電動モータおよび（任意に）内燃エンジンによるトルク負荷を制御または抑制できる。インバータ７は、他の制御信号、例えばドライバトルク要求信号１１を受信するように構成してもよい。
【００３９】
更なる改良として、道路勾配に関する追加の情報をコントローラに与えることができる縦方向加速度センサを車両に設け、車両の加速度と速度を測定する別のソースを提供してもよい。また、ロールレートセンサが設けられてもよい。縦方向加速度センサおよび／またはロールレートセンサからの出力をトルク増加率計算モジュール４７に提供できる。また、この出力を利用して、前述の方法と同様の方法で、パワートレインのトルク増加率を制限するステップを開始してもよい。
【００４０】
図２は、パワートレイン制御システムの実施形態の変形例を示す。システム１ａは、トルク要求コントローラ３ａと、トルク制限コントローラ５ａと、トルク作動コントローラ７ａと、トルクアクチュエータ７０とを備える。図２のトルク要求コントローラ３ａは、ドライバのトルク要求（例えばアクセルペダル位置、システムのトルク要求、こうした要求はクルーズコンコントロールモジュールが生成する）に応じたトルク要求信号４５ａを生成するように動作可能である点において、図１のパワートレイン制御モジュール３と同様の機能を有する。トルク要求信号４５ａは、トルク作動コントローラ７ａに出力される。トルク作動コントローラ７ａは、トルク要求信号４５ａに応じてトルクアクチュエータからトルクを出力する命令を出すように動作可能である。トルク制限コントローラ５ａは、車両の動的挙動に応じてトルク制限信号５７ａを生成するように動作可能である点で、図１のトルク制限計算機５と同様の機能を有する。特に、車両の動的挙動は、ヨーセンサ、ステアリングホイール角度センサ、車輪速度センサおよび横方向加速度計のうちの１つまたはそれ以上の出力に基づいて決定してもよい。検出した複数のパラメータのうちの１つまたはそれ以上と対応する閾値とを比較することにより、トルク制限コントローラはトルク制限信号５７を生成するように動作可能である。このトルク制限信号５７は、車両が走行している路面に対する車両の吸い付き（保持力）の限界を示す。トルク作動コントローラ７ａ（例えば電気自動車またはハイブリッド車のインバータである）は、トルク制限信号５７ａを受信する。また、トルク作動コントローラ７ａは、トルク制限信号５７ａに応じてトルク要求信号４５ａを有効にするように動作可能である。トルク要求信号４５ａが有効にされた場合、トルク作動コントローラ７ａは、要求された大きさのトルクがトルクアクチュエータ７０により出力されるように命令を出すことができる。トルクアクチュエータ７０は電気モータであってもよい。あるいは、トルク作動コントローラは、トルク制限信号に基づいて、要求トルクが車両の安定性を損なうだろうと判断した場合、トルク制限信号に従って、トルクアクチュエータから命令されたトルクを制限するように動作可能である。このようにして、安定性が損なわれないように、車両が走行している路面に対する車両の吸い付き（保持力）の限界を超えることが防止される。これは、トルク要求コントローラの異常（不具合）により間違ったトルク要求信号が出され、これによりトルク作動コントローラが車両を作動させたときに車両が不安定になる場合であっても同様である。このようにして、トルク要求モジュールの異常により誤ったトルク要求信号が出されると、動作中であれば車両の安定性が損なわれるおそれがあるところ、これを軽減することが可能となる。
【００４１】
この出願人による先の出願（２０１０年１２月２日付けで出願された英国特許出願第1020440.2号）および関連する出願の全体の内容は、参照により本明細書に明示的に組み込まれる。
【００４２】
エンジントルク要求信号とモータトルク要求信号を生成するように構成されたパワートレイン制御モジュール１に関連して本発明を説明してきた。本発明は、これに限定されることなく、他のシステムモジュール（例えば車両監視モジュール）がトルク要求信号を生成する制御システムに実装されてもよい。
【００４３】
本発明の範囲から逸脱することなく、本明細書で説明した実施形態に対して、種々の変更と修正を行うことができると理解されるだろう。
【図１】
2015521137.tif 000003
【図２】
2015521137.tif 000004
【国際調査報告】
2015521137.tif 000005
2015521137.tif 000006
2015521137.tif 000007
2015521137.tif 000008